(57)【要約】      （修正有）【課題】就寝時に使用する寝具用枕に関し、とくにイヤーホーンを耳に取り付けて、寝床で音楽やラジオを聴くと、頭部と枕とでイヤーホーンが圧迫され、耳を圧迫変形することがあるので、耳への圧迫を防止する機能を備えた寝具用枕を提供する。【解決手段】略矩形状の袋状枕カバー４に円柱状体枕１を収容する上部収納部５と下部収納部６とを形成し、袋状枕カバーの内面中央の長手方向に所定間隔をおいて面ファスナーを設け、外面中央が湾曲状になる耳圧迫防止機能を備える。【選択図】図１
0003173477.tif 000002
【実用新案登録請求の範囲】
【請求項１】
袋状枕カバーの両側辺に、半球状の上部収納部と下部収納部とを形成し、両端が半球状の円柱体状枕を上部収納部と下部収納部とに収容し、袋状枕カバーの内面に両側辺中央から長手方向に所定間隔を有する面ファスナーを設け、外面が両側辺中央から長手方向に沿って湾曲状になる耳圧迫防止機能を備えた寝具用枕。
【考案の詳細な説明】
【技術分野】
【０００１】  本考案は、就寝時に使用する枕に関し、とくにイヤーホーンを耳に取り付けて、寝床で音楽やラジオを聴くとき、枕でイヤーホーンが圧迫され、耳を圧迫することがあるので、耳への圧迫を防止する機能を備えた寝具用枕に関する。
【背景技術】
【０００２】  従来の寝具用枕は、矩形状布袋の内部にそば殻、もみ殻、羽毛、綿、スポンジなどの充填材が収納された寝具用枕が提供されていた。【０００３】  また、寝具用枕の中央に空間部を形成し、この空間部にラジオを備え、ラジオの音が通る通音部を介してラジオを聴くため、耳を挿入する穴が形設された枕が提案されていた（例えば、特許文献１参照）。【０００４】  なお、腰痛を緩和することを目的とするもので、布製による２本の円柱体状の枕を配列して使用する、腰当て枕が提案されていた（例えば、特許文献２参照）。【０００５】  さらに、筒状布袋の長手方向にのびる区画縫着線で、２つの収容部を形成された扁平状の枕が提案されていた（例えば、特許文献３参照）。【０００６】  また、矩形状布袋の内部に、２つの略円柱体を連結した形状で、布袋の内部に羽根等の充填材を詰めた固定袋体と、略円柱状で内部に羽根等を詰めた回転袋体とが収納されてなる枕が提案されていた（例えば、特許文献４参照）。【０００７】  さらに、充填材を詰めた枕の中央上面に、左右長手方向に沿って湾曲面を形成するように、枕の略中央部に貫通孔を形設して、耳圧迫防止機能を有する圧迫防止手段とした枕が提案されていた（例えば、特許文献５参照）。
【先行技術文献】
【特許文献】
【０００８】
【特許文献１】実開平４−７１５７６号公報
【特許文献２】特開２０００−１５７３７１号公報
【特許文献３】実開昭６３−１９１９７１号公報
【特許文献４】特許第２９８４２３６号公報
【特許文献５】登録実用第３０５３２８７号公報
【考案の概要】
【考案が解決しようとする課題】
【０００９】  本考案は、就寝前にイヤーホーンを耳に取り付けた状態で寝床に入ると、そのまま寝込み、睡眠中に頭部が横向きになったとき、枕と頭部の重さとでイヤーホーンが圧迫され、耳を傷めることがあったので、耳の圧迫を除去するため枕に防止機能を備えた、寝具用枕の提供を目的とする。
【課題を解決するための手段】
【００１０】  本考案は、筒状布袋の両端を半球状に形成し、当該布袋の内部にそば殻、もみ殻、綿、スポンジ等の充填材を詰めて円柱体状枕を縫製する。【００１１】  なお、前記円柱体状の枕と同一形状による２本の枕を形成する。【００１２】  前記２本の円柱体状枕を収容する袋状枕カバーは略矩形状であって、袋状枕カバーの左右両側辺に半球状の上部収納部と下部収納部とを形成し、上部収納部と下部収納部との間に所定間隔をおいて両側辺中央を湾曲状に縫製する。【００１３】  また、前記袋状枕カバーの長手方向の一辺に開口部を形成し、当該開口部の周縁に開閉ファスナーを設け、当該開閉ファスナーが解放された状態の開口部から円柱体状に形成する２本の枕を、袋状枕カバーの上部収納部と下部収納部とに差し込み収容する。【００１４】  上記袋状枕カバーの内面には、両側辺中央部から長手方向に所定間隔をおいて面ファスナーを設ける。【００１５】  上記袋状枕カバーの内面に耳圧迫防止手段として面ファスナーを設けたことによって、袋状枕カバーの外面中央の左右長手方向に沿って湾曲状の耳圧迫防止機能を形成する。【００１６】  袋状枕カバーの下部収納部の底辺には長手方向に沿ってスリット状の開口部を形成し、当該開口部の周縁に開閉ファスナーを設けたことを特徴としたものである。【００１７】  本考案に係る袋状枕カバーを使用するのは、袋状枕カバーの設けた開閉ファスナーを開いて、開口部から２本の円柱体状枕を上部収納部と下部収納部とに収容し、さらに、円柱体状枕を収容した袋状枕カバーに覆い被せて使用する枕カバーで包み込み、当該枕カバーの結び紐を結び合わせて使用するものである。
【考案の効果】
【００１８】  本考案は、以上説明したとおり、筒状布袋の内部に充填材を詰めて成る２本の円柱体状枕を、袋状枕カバーの上部収納部と下部収納部に差し込み、袋状枕カバーの内面に設けた面ファスナーを圧着すると、袋状枕カバーの外面中央の左右長手方向に沿って湾曲状の耳圧迫防止機能が得られる。したがって、就寝の際は上部収納部に収容した円柱体状枕に頭部を載せ、頚椎部を下部収納部に収容した円柱体状枕に当接させると、頭部の重みと枕とで圧迫される耳の圧迫変形を防止することができる。
【図面の簡単な説明】
【００１９】
【図１】本考案の耳圧迫防止機能を備えた第１実施形態を示す斜視図。
【図２】図１に示すＡ−Ａ線断面図。
【図３】本考案に係る袋状枕カバーを覆い被せる枕カバーの斜視図。
【考案を実施するための形態】
【００２０】  以下、本考案の耳圧迫防止機能を備えた寝具用枕の実施形態について説明する。
【実施例１】
【００２１】  本考案に係る枕１は、筒状布袋２の両端を略半球状に形成し、当該筒状布袋２の内部にそば殻、もみ殻、綿、スポンジ等の充填材３を詰めた円柱体状の枕１を縫製する。【００２２】  なお、本考案に係る寝具用枕は、上記円柱体状の枕１と同一形状による枕１ａを併せて使用する。【００２３】  上記円柱体状の枕１、１ａを収容する袋状枕カバー４は、長方状の布地を折り畳み、全体が略矩形状であって、当該袋状枕カバー４の左右両側辺には、上部を半球状に縫着して円柱体状枕１が収容される上部収納部５を形成し、さらに、袋状枕カバー４の左右両側辺には、上部収納部５との所定間隔をおいて下部を半球状に縫着して円柱体状枕１ａが収容される下部収納部６を形成し、袋状枕カバー４の左右両側辺が湾曲状に形成される。【００２４】  上記袋状枕カバー４の内面中央に面ファスナー７を設けることによって、袋状枕カバー４の外面中央に、左右長手方向に沿って湾曲状の耳圧迫防止機能を有する圧迫防止手段を設けたことを特徴としたものである。【００２５】  なお、上記袋状枕カバー４は、下部収納部６の底辺に長手方向に沿ってスリット状の開口部８を形成し、当該開口部８の周縁に開閉ファスナー９を設ける。【００２６】  本考案は、以上説明したとおり、筒状布袋１の内部に充填材３が詰められた２本の円柱体状枕１、１ａを、袋状枕カバー４の上部収納部５と下部収納部６とに差し込み入れ、袋状枕カバー４の内面に面ファスナー７を設けて押し付けると、袋状枕カバー４の外面中央には、左右長手方向に沿って湾曲状の耳圧迫防止機能が得られる。【００２７】  したがって、就寝の際は、頭部を上部収納部５に収容した円柱体状枕１に載せ、頚椎部が下部収納部６に収容した円柱体状枕１ａと当接するので、頭部の重みと枕とで圧迫される耳の圧迫変形を防止することができる。【００２８】  なお、本考案に係る袋状枕カバー４に円柱体状枕１、１ａを収容して使用する際は、袋状枕カバー４の汚れを防ぐため、結び紐１１を有する枕カバー１０を袋状枕カバー４に覆い被せて使用する。
【符号の説明】
【００２９】  １  円柱体状枕
１ａ  円柱体状枕
２  筒状布袋
３  充填材
４  袋状枕カバー
５  上部収納部
６  下部収納部
７  面ファスナー
８  開口部
９  開閉ファスナー
１０  枕カバー
１１  結び紐
【図１】
0003173477.tif 000003
【図２】
0003173477.tif 000004
【図３】
0003173477.tif 000005